(57)【要約】【課題】主に、成形を容易化し得るようにする。【解決手段】樹脂部品２１から一体に突設された挿入部２２を、相手部品２３の係止穴２４へ挿入することにより、挿入部２２の係止部２５を、係止穴２４に係止させるようにした樹脂部品係止構造に関する。  挿入部２２に対し、係止部２５の両側部またはそれよりも外側方に、挿入方向３１へ延びる脆弱部３２を形成する。この脆弱部３２を、係止部２５の係止穴２４への係止時に破断されるものとする。【選択図】図９
2014126128.tif 000002
【特許請求の範囲】
【請求項１】
樹脂部品から一体に突設された挿入部を、相手部品に設けられた係止穴へ挿入することにより、前記挿入部の一側面から面外方向へ向けて突出された係止部を、前記係止穴の一方の縁部に係止させるようにした樹脂部品係止構造において、
前記挿入部に対し、前記係止部の両側部またはそれよりも外側方に位置して、
前記係止部の少なくとも一方の端部を越えて、挿入部の挿入方向へ延びる脆弱部を形成し、
該脆弱部を、前記係止部の前記係止穴への係止時に破断されるものとすることにより、
前記脆弱部の破断によって、前記係止部が前記挿入部から部分的に独立されて、前記挿入部の面直方向へ弾性変形し得るようにしたことを特徴とする樹脂部品係止構造。
【請求項２】
前記脆弱部が、前記挿入部の、前記係止部とは反対側の面に形成されたことを特徴とする請求項１に記載の樹脂部品係止構造。
【請求項３】
前記脆弱部が、前記挿入部の全長に亘って延びるものとされたことを特徴とする請求項１または請求項２に記載の樹脂部品係止構造。
【請求項４】
前記樹脂部品における、前記挿入部の背面側に、前記挿入部から離して、前記挿入部の挿入方向へ延びる位置規制用突出部を設け、
前記係止穴の前記位置規制用突出部側の縁部に、前記位置規制用突出部を受ける突出壁部を設け、
前記位置規制用突出部の基部側の部分が、前記係止穴の前記樹脂部品の縁部に当接すると共に、
前記位置規制用突出部の先端部が、前記突出壁部に当接するよう構成したことを特徴とする請求項１ないし請求項３のいずれか１項に記載の樹脂部品係止構造。
【請求項５】
前記係止穴の近傍に、この係止穴に係止された前記挿入部の背面を支持固定可能な係止時爪支持部を設置し、
この係止時爪支持部を、前記突出壁部の先端側に設けたことを特徴とする請求項１ないし請求項４のいずれか１項に記載の樹脂部品係止構造。
【請求項６】
前記挿入部の裏面側に、係止時爪支持部に対する当り具合を調整するための調整用突条を設けたことを特徴とする請求項５に記載の樹脂部品係止構造。
【発明の詳細な説明】
【技術分野】
【０００１】
この発明は、主に、成形を容易化し得るようにした樹脂部品係止構造に関するものである。
【背景技術】
【０００２】
自動車などの車両には、車室内や車室外に、多数の樹脂部品が用いられている。このような樹脂部品を、車体や他の部品など（以下、相手部品という）に対して取付けるための樹脂部品係止構造には、大きく分けて、スクリュー固定と、爪固定との２つが存在している。
【０００３】
このうち、爪固定は、更に、樹脂部品とは別体の金属クリップや樹脂クリップなどの別体部品を用いた別体爪構造のものと、樹脂部品と同じ材質で樹脂部品に一体に形成された一体爪構造のもの（例えば、特許文献１参照）とに分けることができる。
【０００４】
このうち、上記した別体爪構造のものは、弾性変形能力の高い金属クリップや柔軟な樹脂クリップなどの別体部品を用いているため、繰返し使用に対する耐力や安定性が高いという特徴がある。
【０００５】
一方、上記した一体爪構造のものは、樹脂部品と同じ材料（例えば、硬質樹脂など）によって構成されているため、高い係止力を得るのが容易であるという特徴がある。また、一体爪構造のものは、樹脂部品に対して一体に形成されているため、別体爪構造のように金属クリップや樹脂クリップなどの別体部品を用いる必要がないので、別体爪構造のものと比べて、部品コストがかからず、また、別体部品を樹脂部品に組付けるための手間がかからないなどの特徴がある。
【０００６】
そして、これらの各爪固定構造には、一長一短があるため、それぞれ用途に応じて使い分けられている。
【０００７】
図１０、図１１は、上記した一体爪構造（一体型の樹脂爪構造）を示すものである。この樹脂爪構造は、樹脂部品１（の裏面側）に対し、相手部品に設けられた係止穴へ挿入可能な挿入部４と、この挿入部４の一側面から面外方向へ向け突設されて係止穴の一方の縁部に係止可能な係止部５とを一体に有するものとされる。
【０００８】
上記した挿入部４には、Ｕ字状のスリット部６が、挿入部４を貫通するように形成されることによって、スリット部６の内側に片持梁７が設けられる。そして、上記した係止部５は、この片持梁７に対して設けられている。この片持梁７は、挿入部４の先端側に対して連続されると共に、挿入部４の基部側がフリーなものとされている。
【０００９】
そして、挿入部４の他側面（背面）には、その両側部に沿って一対のリブ１１が一体に形成されている。このリブ１１には、係止穴の他方の縁部に対して当接可能な背面側受部１２と、相手部品を挿入方向１３に受ける挿入方向受部１４とが形成されている。
【００１０】
なお、上記した係止部５は、図１２に示すように、挿入部４の面直方向１５へ移動するスライド型１６を用いて成形される。
【先行技術文献】
【特許文献】
【００１１】
【特許文献１】特開２００９−９６２９５号公報
【発明の概要】
【発明が解決しようとする課題】
【００１２】
しかしながら、上記した一体爪構造による樹脂部品係止構造には、以下のような問題があった。
【００１３】
即ち、上記した係止部５は、図１２に示すように、挿入部４の面直方向１５へ移動するスライド型１６を用いて成形されていたので、樹脂部品１（の裏面側における、挿入部４の近傍）に、構造上必要な何らかの障害物１７などがある場合には、スライド型１６が障害物１７と干渉するため、金型構造が成立せず、成形ができないなどの問題を有していた。即ち、係止部５の成形には、十分な移動スペースが必要になるという問題があった。
【課題を解決するための手段】
【００１４】
上記課題を解決するために、請求項１に記載された発明は、
樹脂部品から一体に突設された挿入部を、相手部品に設けられた係止穴へ挿入することにより、前記挿入部の一側面から面外方向へ向けて突出された係止部を、前記係止穴の一方の縁部に係止させるようにした樹脂部品係止構造において、
前記挿入部に対し、前記係止部の両側部またはそれよりも外側方に位置して、
前記係止部の少なくとも一方の端部を越えて、挿入部の挿入方向へ延びる脆弱部を形成し、
該脆弱部を、前記係止部の前記係止穴への係止時に破断されるものとすることにより、
前記脆弱部の破断によって、前記係止部が前記挿入部から部分的に独立されて、前記挿入部の面直方向へ弾性変形し得るようにしたことを特徴とする。
請求項２に記載された発明は、上記において、前記脆弱部が、前記挿入部の、前記係止部とは反対側の面に形成されたことを特徴とする。
請求項３に記載された発明は、上記において、前記脆弱部が、前記挿入部の全長に亘って延びるものとされたことを特徴とする。
請求項４に記載された発明は、上記において、前記樹脂部品における、前記挿入部の背面側に、前記挿入部から離して、前記挿入部の挿入方向へ延びる位置規制用突出部を設け、
前記係止穴の前記位置規制用突出部側の縁部に、前記位置規制用突出部を受ける突出壁部を設け、
前記位置規制用突出部の基部側の部分が、前記係止穴の前記樹脂部品側の縁部に当接すると共に、
前記位置規制用突出部の先端部が、前記突出壁部に当接するよう構成したことを特徴とする。
請求項５に記載された発明は、上記において、前記係止穴の近傍に、この係止穴に係止された前記挿入部の背面を支持固定可能な係止時爪支持部を設置し、
この係止時爪支持部を、前記突出壁部の先端側に設けたことを特徴とする。
請求項６に記載された発明は、上記において、前記挿入部の裏面側に、係止時爪支持部に対する当り具合を調整するための調整用突条を設けたことを特徴とする。
【発明の効果】
【００１５】
請求項１に記載された発明によれば、上記構成によって、以下のような作用効果を得ることができる。
即ち、挿入部に対し、係止部の両側部またはそれよりも外側方に位置して、係止部の少なくとも一方の端部を越えて、挿入部の挿入方向へ延びる脆弱部を形成することにより、係止部の係止穴への係止時に、脆弱部が破断されることになる。この脆弱部の破断によって、係止部が挿入部から部分的に独立されて、挿入部の面直方向へ弾性変形し得るようになる。
即ち、係止部の周囲に、挿入部を貫通して係止部を部分的に独立させるようにするためのスリット（図＋のスリット部６参照）を予め形成する必要がなくなり、浅い脆弱部を形成するだけで良くなるので、挿入部および係止部を成形し易くすることができる。これにより、スライド型を移動するスペースが十分確保できないような場合であっても、挿入部および係止部をより成形し易いものとすることが可能となる。
また、脆弱部が破断しているかどうかを一見するだけで、簡単に未使用のものであるのか、使用済みのものであるのか、を知ることができるようになり、係止構造を有する樹脂部品の管理が容易になる。
請求項２に記載された発明によれば、上記構成によって、以下のような作用効果を得ることができる。
即ち、脆弱部を、挿入部の、係止部とは反対側の面に形成することにより、挿入部を成形するためのスライド型を、挿入部の挿入方向へ型抜きすることが可能となる。挿入部の挿入方向には、特に、障害物が存在しないので、金型構造を確実に成立させることが可能となる。これにより、挿入部および係止部の成形を、一層容易化することができる。
請求項３に記載された発明によれば、上記構成によって、以下のような作用効果を得ることができる。
即ち、脆弱部が、挿入部の全長に亘って延びるものとされたことにより、脆弱部の破断後に、係止部は、基部側が樹脂部品と連続または連結され、先端部側が自由端となる、片持爪の一部となる。
そして、このように、脆弱部を、挿入部の全長に亘って延ばすことにより、
挿入部を成形するためのスライド型を、挿入部の挿入方向へ抜くようにした場合に、無理抜を行うことなく、挿入部を挿入方向に脱型させることが可能となる。
請求項４に記載された発明によれば、上記構成によって、以下のような作用効果を得ることができる。
即ち、樹脂部品に一体に形成された挿入部を相手部品に設けられた係止穴へ挿入することにより、樹脂部品を相手部品に対して係止保持させることができる。
この際、樹脂部品における、挿入部の背面側に挿入部から離して設けられた、挿入部の挿入方向へ延びる位置規制用突出部によって、挿入部を位置規制することができる。
また、係止穴の位置規制用突出部側の縁部に突出壁部を設けることにより、上記した位置規制用突出部を、突出壁部を介して相手部品に受けさせることができる。
挿入部が係止穴（の一方の縁部）に係止され、位置規制用突出部の基部側の部分が、係止穴（の他方の縁部）に当接され、位置規制用突出部の先端部が、突出壁部に当接されることにより、挿入部は、３点支持状態となるので、樹脂部品のガタ付きを少なくすることができる。
請求項５に記載された発明によれば、上記構成によって、以下のような作用効果を得ることができる。
即ち、係止穴の近傍に設置した係止時爪支持部によって、挿入部の背面を支持させることにより、係止穴に係止された突出部を動かないようにロックすることができる。これによって、突出部を小さくしても大きな係止力を得ることが可能となる。
また、係止時爪支持部が挿入部を動かないようにロックすることで、係止時や係止後における挿入部の変形が抑えられるようになるので、その分、挿入部が塑性変形を起こし難くなり、挿入部の塑性変形による係止力の低下を防止して、繰返し使用による耐力や安定性を向上することができる。しかも、係止時爪支持部が挿入部に作用する応力を緩和するので、挿入部を破損し難くすることができる。
更に、上記したように突出部を小さくすると、係止穴に係止する際の挿入部の変形量も小さくなるので、挿入部を、より塑性変形し難くすることができる。
以上により、一体爪構造（一体型の樹脂爪構造）であっても、繰返し使用に対する耐力や安定性をこれまでよりも格段に向上しつつ、これまでと同様か、または、それ以上の高い係止力を得ることができるようになり、上記した繰返し使用に対する安定性と係止力とを高度に両立することが可能となる。更に、挿入部の小型化や薄型化までも得ることができる。
そして、突出壁部の先端側に係止時爪支持部を設けることにより、挿入部の（フリーとなっている）先端側の背面を相手部品によって支持固定させて、挿入部を確実にロックすることが可能となる。また、係止時爪支持部を突出壁部の先端側に設けることにより、位置規制などのために設けられた突出壁部を利用して係止時爪支持部を設置することができる。
請求項６に記載された発明によれば、上記構成によって、以下のような作用効果を得ることができる。
即ち、挿入部の裏面側に調整用突条を設けたことにより、係止時爪支持部に対する当り具合を最適に調整することができる。
【図面の簡単な説明】
【００１６】
【図１】本発明の実施例にかかる樹脂部品係止構造の斜視図である。（ａ）は一側面側から見た斜視図、（ｂ）は他側面側から見た斜視図である。
【図２】（ａ）は図１の正面図、（ｂ）は側面図である。
【図３】図１（ａ）の下側部分を示す断面図である。
【図４】図２（ａ）を下側から見た断面図である。
【図５】係止部の係止穴への挿入初期の状態を示す作動図である。
【図６】図５に続く作動図である。
【図７】図６に続く作動図である。
【図８】図７の斜視図である。
【図９】係止部の係止穴への係止後の状態を示す側方断面図である。
【図１０】従来例にかかる樹脂部品係止構造を表面側から見た斜視図である。
【図１１】図１０を背面側から斜視図である。
【図１２】図１０の樹脂部品係止構造を成形するスライド型の様子を示す側面図である。
【発明を実施するための形態】
【００１７】
以下、本実施の形態、および、それを具体化した実施例を、図面を用いて詳細に説明する。
図１〜図８は、この実施例およびその変形例を示すものである。
【実施例１】
【００１８】
＜構成＞以下、構成について説明する。
この実施例にかかる樹脂部品係止構造は、主に、図９の係止後の状態を示す側方断面図に示すように（図１〜図８も併せて参照）、樹脂部品２１から一体に突設された挿入部２２を、相手部品２３に設けられた係止穴２４へ挿入することにより、上記挿入部２２の一側面から面外方向へ向けて突出された係止部２５を、上記係止穴２４の一方の縁部に係止（固定）させるようにしたものである。
【００１９】
（補足説明）
ここで、上記した「樹脂部品２１」は、自動車などの車両の場合、車室内や車室外に各種設けられる。例えば、車室内の前部に設けられるインストルメントパネルや、このインストルメントパネルに取付けられる各種のサブパネルや、車室内に設置されるセンターコンソールや、このセンターコンソールに取付けられる各種のサブパネルなどに設けられる。この場合、樹脂部品２１は、硬質樹脂によって構成される。
【００２０】
上記した「挿入部２２」は、樹脂部品２１からほぼ面直方向へ向けて突設されるほぼ舌片状のものなどとされている。なお、挿入部２２の基部（樹脂部品２１側の部分）には、必要に応じて、高さ調整用の台枠部２２ａなどを設けるようにしても良い。
【００２１】
上記した「相手部品２３」は、文字通り、樹脂部品２１を取付けるための相手側の部品である。相手部品２３は、車体や他の部品などとすることができる。相手部品２３は、樹脂部品であっても、金属部品であっても良い。なお、樹脂部品２１および相手部品２３は、上記したものや、図示したような形状のものに限るものではない。
【００２２】
上記した「係止穴２４」は、挿入部２２を挿入して係止させるための穴部であり、挿入部２２に応じた大きさに形成される。
【００２３】
上記した「係止部２５」は、挿入部２２と一体に形成される。この係止部２５は、係止穴２４の一方の縁部（図中左側の縁部）の奥面（図中下面）側に係止可能な係止面２５ａと、係止部２５の係止穴２４への導入を案内する導入テーパ部２５ｂとを有するものとされる。係止面２５ａは挿入部２２の基部側に形成され、導入テーパ部２５ｂは挿入部２２の先端側に形成される。係止面２５ａおよび導入テーパ部２５ｂは、それぞれ目的に応じた所要の傾斜角度を有するものとされている。また、導入テーパ部２５ｂは、導入に必要な所要の長さを有するものとされている。
【００２４】
そして、以上のような基本構成に対し、この実施例のものでは、以下のような構成を備えるようにしている。
【００２５】
（構成１）
図３、図４に示すように、上記挿入部２２に対し、上記係止部２５の両側部またはそれよりも外側方に位置して、上記係止部２５の少なくとも一方の端部を越えて、挿入部２２の挿入方向３１へ延びる脆弱部３２を形成する。
そして、この脆弱部３２を、上記係止部２５の上記係止穴２４への係止時に破断されるものとする（図８参照）。これにより、上記脆弱部３２の破断によって、上記係止部２５が上記挿入部２２から部分的に独立されて、上記挿入部２２の面直方向へ弾性変形し得るもの（爪部３３、図８参照）とする。
【００２６】
（補足説明１）
ここで、上記した「係止部２５の両側部」は、挿入部２２の幅方向（図３、図４の（ほぼ）左右方向）の両側部の意味である。この場合には、脆弱部３２は、係止部２５の両側部に設けられている。
【００２７】
上記した「外側方」は、係止部２５の両側部よりも、挿入部２２の幅方向の外側の意味である。
【００２８】
上記した「一方の端部」は、係止部２５の挿入方向３１の端部（図１中上側の端部または下側の端部）のうちの一方または両方の意味である。
【００２９】
上記した「一方の端部を越えて」は、例えば、係止部２５の挿入方向３１の上側の端部よりも上側、または、係止部２５の挿入方向３１の下側の端部よりも下側の意味である。
【００３０】
上記した「挿入方向３１」は、図１の上下方向である。
【００３１】
上記した「脆弱部３２」は、文字通り、他の部分よりも脆弱な部分のことである。この場合には、挿入部２２を部分的に薄肉化するＶノッチなどとされている。この場合、脆弱部３２は、挿入部２２の肉厚を、半分程度以下にするものなどとされている。
【００３２】
上記した「爪部３３」は、挿入部２２に対して、少なくとも、一部が接続された片持爪（特にずしせず）または両持爪（図８参照）などとされる。
【００３３】
（構成２）
上記において、図３、図４に示すように、上記脆弱部３２が、上記挿入部２２の、上記係止部２５とは反対側の面に形成されるようにする。
【００３４】
（補足説明２）
ここで、上記した「反対側の面」は、上記した一側面（例えば、表面）に対する他側面（例えば、裏面）のことである。
【００３５】
なお、構造的には、脆弱部３２を、係止部２５と同じ側の面に形成することも可能である。
【００３６】
（構成３）
好ましくは、上記脆弱部３２が、上記挿入部２２の全長に亘って延びるものとされる。
【００３７】
（補足説明３）
ここで、上記した「全長に亘って延びる」は、挿入部２２の基端部から先端部へ向け、全域に亘り連続して延びることである。この構成により、上記した「爪部３３」は、基部（付根部）側が樹脂部品２１と連続されて、先端側がフリーな片持梁となる。これにより、爪部３３の梁長さを挿入部２２の全長と等しくして、弾性変形能力を最も高くして、塑性変形し難くすることができる。
【００３８】
なお、構造的には、脆弱部３２は、挿入部２２の全長よりも短くすることも可能である。これにより、爪部３３の梁長さを挿入部２２の全長よりも短くして、係止力を強くすることができる。
【００３９】
そして、脆弱部３２を、挿入部２２の全長よりも短くした場合には、上記した「爪部３３」は、基部（付根部）および先端部が側が樹脂部品２１と連続される上記両持梁となる（図８参照）。
【００４０】
また、脆弱部３２の破断後には、爪部３３の両側部に、図８に示すような、一対の爪保護部３４が形成される。一対の爪保護部３４の先端部には、先端側へ向かって徐々に肉厚が減少する（先細りの）導入テーパ部３４ａを形成するようにしても良い。
【００４１】
また、一対の爪保護部３４の外側部には、係止穴２４の両側縁部に対する幅調整用のリブ３５を形成することができる。このリブ３５の少なくとも先端側の部分には、係止穴２４の両側縁部に対する挿入を案内するための側部用導入テーパ部３６を形成するようにしても良い。この側部用導入テーパ部３６は、先端側へ進むに従い爪部３３の幅中央部へ向かう傾斜部とされる。即ち、側部用導入テーパ部３６は、先細り状の傾斜部とされる。
【００４２】
（構成４）
図９に示すように、上記樹脂部品２１における、上記挿入部２２の背面側（図中右側）に、上記挿入部２２から離して、上記挿入部２２の挿入方向３１へ延びる位置規制用突出部４１を設ける。
また、上記係止穴２４の上記位置規制用突出部４１側の縁部（図中右側の縁部、または、他方の縁部）に、上記位置規制用突出部４１を受ける突出壁部４２を設ける。
そして、上記位置規制用突出部４１の基部側の部分が、上記係止穴２４の樹脂部品２１側の縁部（図中上縁部）に当接するように構成される。
また、上記位置規制用突出部４１の先端部が、上記突出壁部４２に当接するように構成される。
【００４３】
（補足説明４）
ここで、上記した「位置規制用突出部４１」は、挿入部２２と平行な面を有すると共に、挿入部２２よりも短いものとされる。位置規制用突出部４１の、係止穴２４へ挿入される部分の長さは、少なくとも、相手部品２３の肉厚の倍程度以上とするのが好ましい。この場合、位置規制用突出部４１は、挿入部２２の係止部２５における導入テーパ部２５ｂの中間部の位置まで延びるものとされている。
【００４４】
位置規制用突出部４１と上記挿入部２２との離隔方向（図９中左右方向）の間隔は、係止部２５が係止穴２４に係止される際に、図６、図７に示すように、係止穴２４の一方の縁部によって、位置規制用突出部４１側へ弾性変形された係止部２５（爪部３３）が、位置規制用突出部４１に干渉しない程度の大きさまたはそれよりも若干大きなものとされる。例えば、少なくとも、挿入部２２に対する係止部２５の張出量よりも大きな間隔や、或いは、挿入部２２の厚みよりも若干大きな間隔などを有するものとされる。
【００４５】
この位置規制用突出部４１を設けたことに伴って、上記した係止穴２４は、挿入部２２と、後述する位置規制用突出部４１とを同時に収容可能な大きさ（奥行寸法）を有するものとされる。
【００４６】
位置規制用突出部４１の背面側には、必要に応じて、位置規制用突出部４１の変形を防止可能な補強リブ４１ａなどを設けることができる。この補強リブ４１ａは、樹脂部品２１（の台枠部２２ａ）と相手部品２３との間の位置に介在される。この補強リブ４１ａは、相手部品２３と干渉しない程度の大きさのものとされる。或いは、補強リブ４１ａは、相手部品２３に当接して、挿入方向３１の位置規制を行わせるための挿入方向位置規制部としての機能を有するものなどとしても良い。
【００４７】
なお、特に図示しないが、位置規制用突出部４１の両側部と、一対の爪保護部３４の外側部との間には、それぞれ両者を連結する側壁部４３（図３、図４参照）を設けるようにしても良い。この側壁部４３の先端側は、図２（ｂ）に示すように、位置規制用突出部４１の先端部と爪保護部３４の先端部との間を結ぶテーパ部４３ａとされている。
【００４８】
上記した「突出壁部４２」は、位置規制用突出部４１と平行な面を有して、位置規制用突出部４１を挿入方向３１へ案内するものとされる。また、突出壁部４２は、位置規制用突出部４１の背面を、位置規制用突出部４１と挿入部２２の離隔方向へ支持するものとされる。この突出壁部４２は、位置規制用突出部４１の先端部と同じか、または、それよりも若干長く延びるものとされる。この突出壁部４２は、相手部品２３の奥側の面から上記した挿入方向３１へ向けて一体に突出される。この突出壁部４２は、その内面が係止穴２４の他方の縁部と面一になるように形成される。
【００４９】
そして、図９に示すように、位置規制用突出部４１の基部側の部分と、上記係止穴２４の他方の縁部との間には、基部側当接部４４が設定される。この基部側当接部４４は、位置規制用突出部４１の長さ方向の中央部よりは基部側の部分で、且つ、係止穴２４の他方の縁部の樹脂部品２１側の縁部（図中上縁部）に当接するように設けられる。
【００５０】
また、上記位置規制用突出部４１の先端部には、上記突出壁部４２と当接する先端側当接部４５が設定される。
【００５１】
（構成５）
上記係止穴２４の近傍に、この係止穴２４に係止された上記挿入部２２（の爪部３３）の背面を支持固定可能な係止時爪支持部４６を設置する。
そして、この係止時爪支持部４６を、上記突出壁部４２の先端側に設けるようにする。
【００５２】
（補足説明５）
ここで、上記した「係止時爪支持部４６」は、挿入部２２（の爪部３３）の係止穴２４に対する係止時に、爪部３３の背面を押さえて爪部３３が動かないようにロックするロック部としての機能を有するものとされる。係止時爪支持部４６は、構造的には、樹脂部品２１や、相手部品２３や、周囲に存在する部品などに対して適宜設けることが可能である。
【００５３】
ここでは、特に、係止時爪支持部４６は、突出壁部４２の先端側から爪部３３の背面側へ向けて一体に延設された延長部４７に設けられる。この場合、係止時爪支持部４６は、係止穴２４に係止された状態で、爪部３３の先端側の背面のいずれかの部分を支持するものとされる。この場合には、特に、係止時爪支持部４６は、係止穴２４に係止された状態で、爪部３３の先端部近傍の背面を支持するものとされる（この場合には、係止部２５における導入テーパ部２５ｂの下端部よりも若干低い位置となっている）。
【００５４】
また、上記した突出壁部４２と延長部４７との境界部分には、位置規制用突出部４１の先端部を受けて停止させるための、段差状の停止面４８を形成することができる。この停止面４８を設けることにより、位置規制用突出部４１は、挿入方向３１に対する位置規制機能をも有するものとなる。
【００５５】
（構成５ａ）
上記において、上記突出壁部４２が、上記爪部３３の先端部を、上記係止時爪支持部４６へ向けて案内する案内面４９を有するものとされる。
【００５６】
（補足説明５ａ）
ここで、上記した「案内面４９」は、突出壁部４２の先端側の延長部４７に設けられる。この案内面４９は、延長部４７の爪部３３側の面に形成されて、突出壁部４２と係止時爪支持部４６との間を繋ぐガイド面などとされる。この場合、上記した案内面４９は、上記した停止面４８から係止時爪支持部４６へ向け、下り勾配に延びる傾斜面とされている。
【００５７】
（構成５ｂ）
上記において、係止穴２４の周囲に、爪部３３に対する挿入ガイド部５１が設けられる。
【００５８】
（補足説明５ｂ）
ここで、上記した「挿入ガイド部５１」は、相手部品２３における、樹脂部品２１側の面で、且つ、係止穴２４の爪部３３側の縁部に設けられる。この挿入ガイド部５１は、例えば、上記した縁部に沿って突条部５２を突設し、この突条部５２の爪部３３側の側面から係止穴２４の爪部３３側の縁部に亘って形成された導入テーパ部などとされる。この導入テーパ部は、係止穴２４へ向かって下り勾配となる傾斜面などとされる。
【００５９】
（構成６）
図３、図４に示すように、上記挿入部２２の裏面側に、係止時爪支持部４６に対する当り具合を調整するための調整用突条５３を設けるようにする。
【００６０】
（補足説明６）
ここで、上記した「調整用突条５３」は、挿入部２２の爪部３３の裏面側に設けられる。この調整用突条５３は、例えば、挿入部２２の挿入方向３１の全長に亘って設けられる。
【００６１】
＜作用＞以下、この実施例の作用について説明する。
樹脂部品２１に一体に形成された挿入部２２を、図５〜図９に順に示すように、相手部品２３に設けられた係止穴２４へ挿入することにより、図９に示すように、樹脂部品２１を相手部品２３に対して係止保持させることができる。
この際、挿入部２２の係止部２５は、係止穴２４における、相手部品２３の奥側の面に係止される。
【００６２】
＜効果＞この実施例によれば、以下のような効果を得ることができる。
（作用効果１）
挿入部２２に対し、係止部２５の両側部またはそれよりも外側方に位置して、係止部２５の少なくとも一方の端部を越えて、挿入部２２の挿入方向３１へ延びる脆弱部３２を形成することにより、係止部２５の係止穴２４への係止時に、脆弱部３２が破断されることになる。この脆弱部３２の破断によって、係止部２５が挿入部２２から部分的に独立されて、挿入部２２の面直方向へ弾性変形し得るようになる。即ち、係止穴２４への挿入によって、爪部３３が出現されることになる。
即ち、係止部２５の周囲に、挿入部２２を貫通して係止部２５を部分的に独立させるようにするためのスリット（図１０のスリット部６参照）を予め形成する必要がなくなり、浅い脆弱部３２を形成するだけで良くなるので、挿入部２２および係止部２５を成形し易くすることができる。これにより、スライド型を移動するスペースが十分確保できないような場合であっても、挿入部２２および係止部２５をより成形し易いものとすることが可能となる。
【００６３】
また、脆弱部３２が破断しているかどうかを一見するだけで、簡単に未使用のものであるのか、使用済みのものであるのか、を知ることができるようになり、係止構造を有する樹脂部品２１の管理が容易になる。
【００６４】
（作用効果２）
脆弱部３２を、挿入部２２の、係止部２５とは反対側の面に形成することにより、挿入部２２を成形するためのスライド型を、挿入部２２の挿入方向３１へ型抜きすることが可能となる。挿入部２２の挿入方向３１には、特に、障害物が存在しないので、金型構造を確実に成立させることが可能となる。これにより、挿入部２２および係止部２５の成形を、一層容易化することができる。
【００６５】
（作用効果３）
脆弱部３２が、挿入部２２の全長に亘って延びるものとされたことにより、脆弱部３２の破断後に、係止部２５は、基部側が樹脂部品２１と連続または連結され、先端部側が自由端となる、片持爪の一部となる。
【００６６】
そして、このように、脆弱部３２を、挿入部２２の全長に亘って延ばすことにより、挿入部２２を成形するためのスライド型を、挿入部２２の挿入方向３１へ抜くようにした場合に、無理抜きを行うことなく挿入部２２を挿入方向３１に脱型させることが可能となる。
【００６７】
（作用効果４）
樹脂部品２１における、挿入部２２（の爪部３３）の背面側に爪部３３から離して設けられた、挿入部２２の挿入方向３１へ延びる位置規制用突出部４１によって、樹脂部品２１を、位置規制用突出部４１と挿入方向３１との離隔方向（或いは、挿入部２２の面直方向、または、図１の左右方向）に対して位置規制させることが可能となる。
【００６８】
また、係止穴２４の位置規制用突出部４１側の縁部に突出壁部４２を設けることにより、位置規制用突出部４１を、突出壁部４２を介して相手部品２３に受けさせることができる。また、位置規制用突出部４１を突出壁部４２で受けることにより、位置規制用突出部４１による上記した位置規制機能を、より安定したものとすることができる。また、挿入時に、突出壁部４２で位置規制用突出部４１を案内させることができる。
【００６９】
そして、挿入部２２の爪部３３が係止穴２４（の一方の縁部）に係止され、位置規制用突出部４１の基部側の部分（基部側当接部４４）が、係止穴２４の他方の縁部に当接され、位置規制用突出部４１の先端部（先端側当接部４５）が、突出壁部４２の先端側に当接されることにより、挿入部２２は、３点支持状態となるので、係止状態での樹脂部品２１のガタ付きを大幅に小さくすることができる。そして、これに、挿入部２２の爪部３３の背面と係止時爪支持部４６との間の支持を加えると、４点支持状態となるので、係止状態での樹脂部品２１のガタ付きを、より一層小さく抑えることができる。
【００７０】
これに対し、図１０、図１１の従来例に示すような、位置規制用突出部４１のない通常の一体爪の場合には、係止穴２４の両側の縁部で係止部５の両面を支持する２点支持状態となるので、係止状態での樹脂部品１のガタ付きが大きいものとなる。
【００７１】
しかも、この実施例の場合、挿入方向３１に対し、基部側当接部４４と先端側当接部４５との間の長い間隔の部分、または、基部側当接部４４と係止時爪支持部４６との間の更に長い間隔の部分で、挿入部２２の爪部３３を背面側から保持することができるので、上記した従来例のように、相手部品２３の厚み分の短い間隔でしか挿入部２２の爪部３３を保持できないものと比べて、格段に強固に挿入部２２の爪部３３を保持して、図中左右方向のガタ付きを抑えることができる。
【００７２】
（作用効果５）
上記した挿入部２２（の爪部３３）が係止穴２４へ挿入係止された時に、係止穴２４の近傍に設置した係止時爪支持部４６によって、挿入部２２の背面を支持固定させることにより、係止穴２４に係止された係止部２５を動かないようにロックすることができる。これによって、係止部２５を小さくしても大きな係止力を得ることが可能となる。
【００７３】
また、係止時爪支持部４６が係止部２５（爪部３３）を動かないようにロックすることで、係止時や係止後における係止部２５（爪部３３）の変形が抑えられるようになるので、その分、係止部２５（爪部３３）が塑性変形を起こし難くなり、係止部２５（爪部３３）の塑性変形による係止力の低下を防止して、繰返し使用による耐力や安定性を向上することができる。しかも、係止時爪支持部４６が係止部２５（爪部３３）に作用する応力を緩和するので、係止部２５（爪部３３）を破損し難くすることができる。
【００７４】
更に、上記したように係止部２５を小さくすると、係止穴２４に係止する際の爪部３３の変形量も小さくなるので、爪部３３を、より塑性変形し難くすることができる。
【００７５】
しかも、爪部３３は、上記したように、基部側が樹脂部品２１と連続されると共に、先端側がフリーとなった、長い片持梁とされているので、例えば、図６、図７の従来例のように、先端側が樹脂部品１と連続されると共に、基部側がフリーとなった、挿入部４よりも格段に短い片持梁７と比べて、弾性変形能力が大きく、有利な構造を備えている。
【００７６】
以上により、一体爪構造（一体型の樹脂爪構造）であっても、繰返し使用に対する耐力や安定性をこれまでよりも格段に向上しつつ、これまでと同様か、または、それ以上の高い係止力を得ることができるようになり、上記した繰返し使用に対する安定性と係止力とを高度に両立することが可能となる。更に、爪部３３の小型化や薄型化までも得ることができる。
【００７７】
以て、一体型の樹脂爪構造を、金属クリップや樹脂クリップなどの別部品を使った別体爪構造、ほぼ完全に代替することが可能となる。即ち、これまで別体爪構造にしていた部分を、全て一体爪構造に置き換えることができるようになり、製品のコストダウンなどを図ることが可能となる。
【００７８】
そして、上記した突出壁部４２の先端側に係止時爪支持部４６を設けることにより、爪部３３の（フリーとなっている）先端側の背面を相手部品２３によって直接支持固定させて、爪部３３を確実にロックすることが可能となる。また、係止時爪支持部４６を突出壁部４２の先端側に設けることにより、位置規制などのために設けられた突出壁部４２を利用して係止時爪支持部４６を設置することができる。
【００７９】
（作用効果５ａ）
突出壁部４２に案内面４９を設けることにより、係止穴２４に対して挿入部２２を挿入する際に、挿入部２２の先端部を、案内面４９に沿って、係止時爪支持部４６へ向けスムーズに案内することができると共に、挿入部２２の先端部を係止時爪支持部４６によって確実に支持させることができる。
【００８０】
（作用効果５ｂ）
相手部品２３が、係止穴２４の周囲（入口部）に、挿入部２２に対する挿入ガイド部５１を有することにより、挿入ガイド部５１が挿入部２２を案内して、挿入部２２を確実に係止穴２４へ挿入させることができる。これにより、挿入部２２の側に挿入ガイド部５１に相当する傾斜面などを設ける必要がなくなるので、その分、挿入部２２を薄肉化することができる。
【００８１】
（作用効果６）
挿入部２２の裏面側に調整用突条５３を設けたことにより、係止時爪支持部４６に対する当り具合を最適に調整することができる。
【００８２】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【産業上の利用可能性】
【００８３】
自動車用の樹脂部品２１に限らず、各種の分野に用いられる樹脂部品２１に対して広く適用することが可能である。
【符号の説明】
【００８４】
２１  樹脂部品
２２  挿入部
２３  相手部品
２４  係止穴
２５  係止部
３１  挿入方向
３２  脆弱部
３３  爪部
４１  位置規制用突出部
４２  突出壁部
４６  係止時爪支持部
５３  調整用突条
【図１】
2014126128.tif 000003
【図２】
2014126128.tif 000004
【図３】
2014126128.tif 000005
【図４】
2014126128.tif 000006
【図５】
2014126128.tif 000007
【図６】
2014126128.tif 000008
【図７】
2014126128.tif 000009
【図８】
2014126128.tif 000010
【図９】
2014126128.tif 000011
【図１０】
2014126128.tif 000012
【図１１】
2014126128.tif 000013
【図１２】
2014126128.tif 000014